(57)【要約】      （修正有）【課題】鍵が鍵盤シャーシから脱落しにくく、横方向の傾きやぐらつきを抑えて優れた安定性を実現することのできる鍵盤装置を提供する。【解決手段】複数の鍵３が鍵盤シャーシ１に対して押鍵方向に回動自在に取り付けられている鍵盤装置１００であって、鍵盤シャーシ１の鍵押さえ部材２０は、凸部としての摺接部２６を備え、鍵３のシャーシ取付け部３６は、凹部としての開口部を備えており、摺接部２６と開口部とが係合された状態において鍵３の鍵盤シャーシ１からの脱落を防止し鍵３の横方向の傾きを抑制するように構成されている。【選択図】図１
2012013830.tif 000002
【特許請求の範囲】
【請求項１】
鍵盤シャーシと、
この鍵盤シャーシに対して押鍵方向に回動自在に取り付けられている複数の鍵と、を備える鍵盤装置であって、
前記鍵盤シャーシは、前記鍵を取り付ける鍵取付け部を有し、
前記鍵は、一端側に前記取付け部に取り付けられる被取付け部を備え、
前記鍵取付け部は、互いに係合可能な凹部又は凸部のうちのいずれか一方を備え、
前記被取付け部は、前記凹部又は前記凸部のうちの他方を備え、
前記凹部又は前記凸部の一方と前記凹部又は前記凸部の他方とが係合された状態において前記鍵の前記鍵盤シャーシからの脱落を防止し前記鍵の横方向の傾きを抑制するように構成されていることを特徴とする鍵盤装置。
【請求項２】
前記凹部は前記被取付け部に設けられ、前記凸部は前記鍵取付け部に設けられており、
前記被取付け部は、少なくとも上部が前記鍵の回動中心を中心とした円弧状に形成され、この円弧状に形成された上部に前記凹部としての開口部を有し、
前記鍵取付け部は、前記鍵の幅方向の中心に向かって傾斜する一対の稜線部により山形に形成されその頂点が前記開口部から前記被取付け部内に挿入されて押鍵時に前記開口部の端縁に沿って摺動する前記凸部としての摺接部を有する鍵押さえ部材を備えていることを特徴とする請求項１に記載の鍵盤装置。
【請求項３】
前記凹部は前記被取付け部に設けられ、前記凸部は前記鍵取付け部に設けられており、
前記被取付け部は、少なくとも上部が前記鍵の回動中心を中心とした円弧状に形成され、この円弧状に形成された上部に前記凹部としての開口部を有し、
前記鍵取付け部は、前記開口部から前記被取付け部内に挿入される前記凸部としての挿入片と、この挿入片の両側に設けられ前記鍵の幅方向の中心に向かって傾斜する一対の稜線部により構成されて前記開口部の端縁に当接し押鍵時に前記開口部の端縁に沿って摺動する摺接部と、を有する鍵押さえ部材を備えていることを特徴とする請求項１に記載の鍵盤装置。
【請求項４】
前記凸部は前記被取付け部に設けられ、前記凹部は前記鍵取付け部に設けられており、
前記被取付け部は、前記凸部として、前記鍵の回動に伴って撓む可撓性を有する突出部を備え、
前記鍵取付け部は、前記突出部と嵌り合う前記凹部としての係合穴を有する鍵押さえ部材を備えていることを特徴とする請求項１に記載の鍵盤装置。
【請求項５】
前記突出部は、前記鍵の幅方向と直交する方向の厚みが薄い薄板状に形成されていることを特徴とする請求項４に記載の鍵盤装置。
【発明の詳細な説明】
【技術分野】
【０００１】
本発明は、鍵盤装置に関するものである。
【背景技術】
【０００２】
電子ピアノ等の電子楽器の鍵盤装置は、鍵盤シャーシと複数の鍵（白鍵と黒鍵）とを備えており、例えば、鍵盤シャーシの後部に鍵を取り付ける取付け部を設けて、これに鍵の後端部を嵌め込むことにより鍵を上下方向に回動可能に取り付けるのが一般的である。
【０００３】
しかし、このように鍵を嵌め込むことにより取り付ける場合には、外部から強い衝撃が加わった際等に鍵が鍵盤シャーシから浮き上がったり脱落したりするおそれがある。
また、鍵の先端側には鍵を上下方向にのみ可動するようガイドする鍵ガイド部が設置されているが、硬い材質のものを用いると異音が発生するため、鍵ガイド部は硬度の低い材料で形成されている。このため、例えば鍵が横方向や斜め方向から押された場合に、鍵が横方向に傾いたりぐらついたりしてしまうことがあった。
【０００４】
そこで、従来、鍵を鍵盤シャーシに揺動自在に枢支した後、鍵の後端部の浮上りを阻止する押圧板を配置して、鍵の浮き上がりや脱落を防止するように構成したものが知られている（例えば、特許文献１参照。）。
【先行技術文献】
【特許文献】
【０００５】
【特許文献１】特開平５−１６５４６０号公報
【発明の概要】
【発明が解決しようとする課題】
【０００６】
しかしながら、特許文献１に記載されているように、単に鍵の後端部を押圧板により上方から押さえる場合、強く押圧すると鍵の滑らかな動きが阻害されてしまう。他方で、軽く押さえるのみでは、強い衝撃が加わったときに鍵が浮き上がったり脱落したりするのを防止したり、鍵の横方向の傾きやぐらつきを防止するには不十分である。
【０００７】
そこで、本発明は以上のような事情に鑑みてなされたものであり、鍵が鍵盤シャーシから脱落しにくく、横方向の傾きやぐらつきを抑えて優れた安定性を実現することのできる鍵盤装置を提供することを目的としている。
【課題を解決するための手段】
【０００８】
前記課題を解決するために、請求項１に記載の鍵盤装置は、
鍵盤シャーシと、
この鍵盤シャーシに対して押鍵方向に回動自在に取り付けられている複数の鍵と、を備える鍵盤装置であって、
前記鍵盤シャーシは、前記鍵を取り付ける鍵取付け部を有し、
前記鍵は、一端側に前記取付け部に取り付けられる被取付け部を備え、
前記鍵取付け部は、互いに係合可能な凹部又は凸部のうちのいずれか一方を備え、
前記被取付け部は、前記凹部又は前記凸部のうちの他方を備え、
前記凹部又は前記凸部の一方と前記凹部又は前記凸部の他方とが係合された状態において前記鍵の前記鍵盤シャーシからの脱落を防止し前記鍵の横方向の傾きを抑制するように構成されていることを特徴としている。
【０００９】
請求項２に記載の発明は、請求項１に記載の鍵盤装置において、
前記凹部は前記被取付け部に設けられ、前記凸部は前記鍵取付け部に設けられており、
前記被取付け部は、少なくとも上部が前記鍵の回動中心を中心とした円弧状に形成され、この円弧状に形成された上部に前記凹部としての開口部を有し、
前記鍵取付け部は、前記鍵の幅方向の中心に向かって傾斜する一対の稜線部により山形に形成されその頂点が前記開口部から前記被取付け部内に挿入されて押鍵時に前記開口部の端縁に沿って摺動する前記凸部としての摺接部を有する鍵押さえ部材を備えていることを特徴としている。
【００１０】
請求項３に記載の発明は、請求項１に記載の鍵盤装置において、
前記凹部は前記被取付け部に設けられ、前記凸部は前記鍵取付け部に設けられており、
前記被取付け部は、少なくとも上部が前記鍵の回動中心を中心とした円弧状に形成され、この円弧状に形成された上部に前記凹部としての開口部を有し、
前記鍵取付け部は、前記開口部から前記被取付け部内に挿入される前記凸部としての挿入片と、この挿入片の両側に設けられ前記鍵の幅方向の中心に向かって傾斜する一対の稜線部により構成されて前記開口部の端縁に当接し押鍵時に前記開口部の端縁に沿って摺動する摺接部と、を有する鍵押さえ部材を備えていることを特徴としている。
【００１１】
請求項４に記載の発明は、請求項１に記載の鍵盤装置において、
前記凸部は前記被取付け部に設けられ、前記凹部は前記鍵取付け部に設けられており、
前記被取付け部は、前記凸部として、前記鍵の回動に伴って撓む可撓性を有する突出部を備え、
前記鍵取付け部は、前記突出部と嵌り合う前記凹部としての係合穴を有する鍵押さえ部材を備えていることを特徴としている。
【００１２】
請求項５に記載の発明は、請求項４に記載の鍵盤装置において、
前記突出部は、前記鍵の幅方向と直交する方向の厚みが薄い薄板状に形成されていることを特徴としている。
【発明の効果】
【００１３】
本発明によれば、鍵取付け部に設けられている凹部又は凸部と被取付け部に設けられている凹部又は凸部とが係合するように構成されているため、外部から強い衝撃が加わった場合にも、鍵盤シャーシからの鍵の脱落を防止することができ、また、横方向等から鍵が押鍵された場合等でも、鍵の横方向の傾きやぐらつきを抑制することができる。
【図面の簡単な説明】
【００１４】
【図１】第１の実施形態の鍵盤装置の非押鍵状態における側断面図である。
【図２】第１の実施形態の鍵盤装置の押鍵状態における側断面図である。
【図３】第１の実施形態の鍵押さえ部材の斜視図である。
【図４】第１の実施形態の鍵押さえ部材の正面図である。
【図５】第１の実施形態の鍵押さえ部材の側面図である。
【図６】第１の実施形態の鍵のシャーシ取付け部の斜視図である。
【図７】鍵のシャーシ取付け部を鍵支持部に嵌め込む様子を説明する側断面図である。
【図８】鍵のシャーシ取付け部を鍵支持部に嵌め込み鍵押さえ部材で押える様子を装置の後部側から見た説明図である。
【図９】図１のIX−IX線に沿う断面図である。
【図１０】第２の実施形態の鍵押さえ部材の斜視図である。
【図１１】第２の実施形態の鍵押さえ部材の正面図である。
【図１２】第２の実施形態の鍵押さえ部材の側面図である。
【図１３】第２の実施形態における鍵の鍵盤シャーシへの取付け状態を示す断面図である。
【図１４】第３の実施形態の鍵盤装置の非押鍵状態における側断面図である。
【図１５】第３の実施形態の鍵盤装置の押鍵状態における側断面図である。
【図１６】第３の実施形態の鍵のシャーシ取付け部の斜視図である。
【図１７】（ａ）は、第３の実施形態の鍵押さえ部材の上面図であり、（ｂ）は、第３の実施形態の鍵押さえ部材の正面図である。
【図１８】図１４のXVIII−XVIII線に沿う断面図である。
【図１９】第４の実施形態の鍵盤装置の非押鍵状態における側断面図である。
【図２０】第４の実施形態の鍵盤装置の押鍵状態における側断面図である。
【図２１】第４の実施形態の鍵のシャーシ取付け部の斜視図である。
【図２２】（ａ）は、第４の実施形態の鍵押さえ部材の側面図であり、（ｂ）は、第４の実施形態の鍵押さえ部材の上面図であり、（ｃ）は、第４の実施形態の鍵押さえ部材の正面図である。
【発明を実施するための最良の形態】
【００１５】
先ず、図１から図９を参照しつつ、本発明に係る鍵盤装置の第１の実施形態について説明する。なお、本発明の範囲は図示例に限定されない。
【００１６】
図１及び図２は、本実施形態における鍵盤装置の側断面図である。図１は、鍵が押鍵されていない状態を示しており、図２は、鍵が押鍵された状態を示している。
図１及び図２に示すように、鍵盤装置１００は、鍵盤シャーシ１と、この鍵盤シャーシ１上に押鍵方向である上下方向（図１において上下方向）に回動可能に取り付けられている複数の鍵３と、この複数の鍵３にそれぞれ対応して設けられ鍵３の各押鍵動作に応じてそれぞれ電気信号を出力する複数のスイッチ部（図示せず）と、この複数の鍵３の下側にそれぞれ対応して設けられ、鍵３の押鍵動作に伴って回動変位し当該鍵３に対してアクション荷重を付与する複数のハンマー部材４とを備えている。鍵盤シャーシ１及び鍵盤シャーシ１に取り付けられている各種部材は、図示しない本体ケースに収納されている。
本実施形態において、鍵盤装置１００は、鍵３として、複数の白鍵と複数の黒鍵とを備えているが、図１等においては、図示の便宜上、白鍵１つのみを表している。なお、鍵３の構成、鍵３を鍵盤シャーシ１に取り付ける構成は、いずれの鍵３についても共通である。
【００１７】
鍵盤シャーシ１は、例えばＡＢＳ樹脂等の合成樹脂により一体的に形成されており、この鍵盤シャーシ１の前端部（図１及び図２では右端部）には、鍵３の前端部内側に下方から摺接し鍵３の前端部をガイドする鍵ガイド部１１（図１及び図２では、白鍵をガイドする白鍵ガイド部のみを図示している。）が、鍵盤シャーシ１の底部（すなわち図１及び図２において下側）から上方に突出するように形成されている。
この鍵ガイド部１１の後部側（図１及び図２では左側）には、図１及び図２に示すように、鍵３が押鍵されてその前端部が下方に下がったときに鍵３のハンマー取付け部３５を受ける凹部である取付け部受け凹部１２が設けられている。
【００１８】
この取付け部受け凹部１２の後部側には、ハンマー部材４を回動自在に支持するハンマー支持部１３が設けられている。ハンマー支持部１３には、ハンマー部材４を上下方向に支持するハンマー支持軸１４が設けられている。
【００１９】
さらに、このハンマー支持部１３の後部側には、立上り部１０が、上方に突出するように形成されており、この立上り部１０には、ハンマー部材４を挿通させる開口部１０ａが形成されている。
【００２０】
また、鍵３の中間部に対応する鍵盤シャーシ１上には、図示しないスイッチ基板が配置されており、このスイッチ基板上であって、各鍵３のスイッチ押圧部に対応する位置には、それぞれスイッチ部としてのゴムスイッチ（図示せず）が設けられている。
【００２１】
このゴムスイッチは、例えばスイッチ基板上に配設されたゴムシートを備え、このゴムシート上であって、各鍵３のスイッチ押圧部３４（後述）にそれぞれ対応する位置にドーム状の膨出部を形成したものである。
ゴムスイッチ及びこれを押圧する機構は特に限定されないが、例えば、鍵３が押下されたときに、鍵３に設けられているスイッチ押圧部３４がゴムスイッチの膨出部を押圧する。これにより膨出部が弾性変形して、その内部に設けられている可動接点がスイッチ基板上の固定接点と接触し、ＯＮ信号を出力するように構成されている。
【００２２】
さらに、ハンマー支持部１３及びゴムスイッチよりも後部側（図１及び図２において左側）には、複数の鍵３（白鍵、黒鍵）を支持する鍵支持部１５が上方に突出して設けられている。
この鍵支持部１５は、一対の鍵支持板１５ａを備えており、この鍵支持板１５ａの内側面には、鍵３の後端部を回動可能に支持するための鍵支持凸部１６が互いに内側に向かって対向するように突設されている。
なお、鍵３を支持するための構成はここに示すものに限定されず、例えば、鍵支持部１５に、鍵３の後端部を回動可能に支持するための鍵支持軸を設けて、この軸に鍵３を支持させるようにしてもよい。
【００２３】
また、鍵支持部１５の後部側には、後述する鍵押さえ部材２０をねじ止め固定するための固定部１７が設けられている。
本実施形態においては、鍵支持部１５と鍵押さえ部材２０とにより、鍵盤シャーシ１に鍵３を取り付ける鍵取付け部が構成されている。
【００２４】
図３は、この固定部１７に固定される鍵押さえ部材２０の斜視図であり、図４は、鍵押さえ部材２０の正面図（すなわち、鍵盤装置１００の前側（図１及び図２では右側）から見た図）であり、図５は、鍵押さえ部材２０の側面図である。
図３から図５に示すように、鍵押さえ部材２０は、鍵盤装置１００の幅方向（すなわち、横方向）に延在する長尺の部材であり、固定部１７のねじ孔（図示せず）に対応する位置にねじ孔２４が形成された平板状のシャーシ固定部２１と、このシャーシ固定部２１の長手方向の一辺からほぼ垂直に立ち上がる立上り部２２と、この立上り部２２の上端からシャーシ固定部２１とは反対側にほぼ水平に延出する庇部２３と、この庇部２３の長手方向の端部からほぼ鉛直に垂下するリブ２５とを有している。
【００２５】
このリブ２５には、鍵押さえ部材２０を固定部１７に固定した際に各鍵３に対応する位置に、鍵３の幅方向の中心に向かって傾斜する一対の稜線部により山形に形成された摺接部２６が設けられている。
摺接部２６は、その頂点が後述する鍵３のシャーシ取付け部３６の開口部３６ａ（図６参照）から被取付け部であるシャーシ取付け部３６の内部に挿入されて押鍵時にシャーシ取付け部３６の開口部３６ａの端縁に沿って摺動する凸部である。
【００２６】
また、鍵盤シャーシ１の後端部上側の裏面側には、ハンマー部材４が図１において時計回りに付勢された際に、ハンマー部材４の先端部の上面に当接してハンマー部材４の先端部である当接部４４の上限位置を規制する上限ストッパ１８が設けられている。また、鍵盤シャーシ１の後端部下側の表面側（図１及び図２において上側）には、ハンマー部材４が図１において反時計回りに回動した際に、ハンマー部材４の当接部４４の下面に当接してハンマー部材４の当接部４４の下限位置を規制する下限ストッパ１９が設けられている。
上限ストッパ１８、下限ストッパ１９は、それぞれ、フェルト等により形成されており、ハンマー部材４の当接部４４が上限ストッパ１８、下限ストッパ１９に当接した際に、その衝撃を吸収可能となっている。
【００２７】
本実施形態において、鍵３は、樹脂等により形成されており、細長いほぼ角筒形状をなしている。
鍵３は内部が中空となっており、下側に開放された断面矩形状に形成されている。鍵３の内部における前部側（図１では右端部側）には、鍵ガイド部１１が下側から挿入されるようになっており、この鍵ガイド部１１によって鍵３の前側端部がガイドされ、押鍵時に横揺れしないように構成されている。
【００２８】
鍵３は、前端側（図１では右端側）が演奏者により押鍵される押下部３１とされ、後端側が鍵盤シャーシ１の鍵支持部１５に取り付けられる被取付け部としてのシャーシ取付け部３６となっている。
【００２９】
図６は、シャーシ取付け部３６の斜視図である。
図６に示すように、本実施形態において、シャーシ取付け部３６は、鍵支持部１５の鍵支持凸部１６に対応する位置に、鍵支持凸部１６と嵌合する孔部３７が形成されている。鍵３は、この孔部３７に鍵支持凸部１６を嵌め合わせることにより、鍵支持凸部１６を回動中心として上下方向（すなわち、押鍵方向）に回動するようになっている。
【００３０】
シャーシ取付け部３６は、少なくともその上部の外形が、回動中心である鍵支持凸部１６（又は鍵支持凸部１６と嵌り合う孔部３７）を中心とした円弧状に形成されており、この円弧状に形成された上部に開口部３６ａを有している。この開口部３６ａは、凸部としての摺接部２６が挿入される凹部である。
本実施形態において、開口部３６ａ（凹部）と摺接部２６（凸部）とは、互いに係合可能に構成されており、開口部３６ａ（凹部）と摺接部２６（凸部）とが係合された状態において鍵３の鍵盤シャーシ１からの脱落を防止し鍵３の横方向の傾きやぐらつきを抑制するように構成されている。
【００３１】
なお、本実施形態では、シャーシ取付け部３６の内部は、上下に貫通しているが、シャーシ取付け部３６は、少なくとも上部が開口していればよく、上下に貫通しているものに限定されない。
また、円弧状に形成されている部分の範囲、開口部３６ａの範囲は、鍵３が押鍵された際に摺接部２６が鍵３の回動を阻害することなく開口部３６ａの端縁に沿って摺動することができる構成となっていればよく、図示例に限定されない。
【００３２】
また、この鍵３の中間部であって鍵盤シャーシ１上に設けられたスイッチ基板のゴムスイッチに対応する位置には、ゴムスイッチを押圧するスイッチ押圧部３４が設けられている。スイッチ押圧部３４は、鍵３が押鍵動作されたときに、ゴムスイッチを押圧し、ゴムスイッチからＯＮ信号を出力させるように構成されている。
【００３３】
また、ハンマー部材４は、図１に示すように、ハンマー本体４１と、ハンマーホルダ４２とを有している。
ハンマー本体４１は金属で形成されており、その一端側は、ハンマーホルダ４２に取り付けられるようになっている。また、ハンマー本体４１の他端側は、鍵盤シャーシ１に設けられている上限ストッパ１８及び下限ストッパ１９に当接する当接部４４となっており、この当接部４４の近傍には、錘４５が設けられている。
【００３４】
ハンマーホルダ４２は、樹脂等により形成されており、一端側にハンマー本体４１が取り付けられるようになっている。また、他端側は、鍵３のハンマー取付け部３５に取り付けられる鍵取付け部４３となっている。
【００３５】
ハンマー部材４は、ハンマーホルダ４２にハンマー本体４１を取り付けた状態で、鍵盤シャーシ１の立上り部１０に設けられた開口部１０ａを挿通させることにより鍵盤シャーシ１の裏面側に配置されるようになっている。
ハンマーホルダ４２にはハンマー取付孔部（図示せず）が設けられている。そして、このハンマー取付孔部が鍵盤シャーシ１上に設けられたハンマー支持部１３のハンマー支持軸１４に回動可能に取り付けられ、これによりハンマー部材４はハンマー支持軸１４を中心に上下方向に回動するように構成されている。
【００３６】
ハンマー部材４は、ハンマー本体４１の後端部（図１では左端部）近傍に設けられた錘４５の重量によって、ハンマー本体４１が図１において反時計回りに付勢されて、ハンマー本体４１の後端部の当接部４４が鍵盤シャーシ１の後端底部に設けられた下限ストッパ１９に当接することにより、ハンマー本体４１が下限位置に規制されるように構成されている。また、このハンマー部材４は、ハンマー本体４１が錘４５の重量に抗して図１における時計回りに回動したときに、ハンマー本体４１の後端部の当接部４４が鍵盤シャーシ１の後端部裏面側に配置された上限ストッパ１８に当接することにより、ハンマー本体４１が上限位置に規制されるように構成されている。
【００３７】
次に、図７から図９等を参照しつつ、本実施形態における鍵盤装置１００の作用について説明する。図７は、鍵３のシャーシ取付け部３６を鍵支持部１５に嵌め込む様子を説明する側断面図であり、図８は、鍵３のシャーシ取付け部３６を鍵支持部１５に嵌め込み鍵押さえ部材２０によって押える様子を鍵盤装置１００の後部側（図１及び図２において左側）から見た説明図であり、図９は、図１のIX−IX線に沿う断面図であって、鍵盤シャーシ１に鍵３が取り付けられた状態を鍵盤装置１００の前側（図１及び図２において右側）から見た図である。
【００３８】
鍵盤シャーシ１に鍵３を取り付けるときには、図７に示すように、鍵３の被取付け部であるシャーシ取付け部３６を鍵盤シャーシ１の鍵支持部１５の上方から嵌め込む。具体的には、図８に示すように、１対の鍵支持板１５ａを横方向（鍵３の幅方向）に押し拡げて上方からシャーシ取付け部３６を挿入し、シャーシ取付け部３６の孔部３７に鍵支持凸部１６を嵌合させる。
【００３９】
次に、リブ２５が設けられている側が鍵盤装置１００の前側（図１及び図２において右側）に位置するような向きで、鍵押さえ部材２０をねじ１７ａにより固定部１７（図１及び図２参照）に固定する。
このとき、図９に示すように、鍵押さえ部材２０の、山形に形成された摺接部２６の頂点がシャーシ取付け部３６の開口部３６ａからシャーシ取付け部３６の内部に挿入され、摺接部２６の稜線部が開口部３６ａの端縁に突き当てられる。これにより、シャーシ取付け部３６は、左右に偏りのない均等な力で上方から押圧され、鍵３の浮き上がりや脱落が防止されるとともに、鍵３の横方向の傾き、ぐらつきが抑えられる。
【００４０】
そして、押鍵時（図２参照）には、摺接部２６が、回動中心を中心として円弧状に形成されたシャーシ取付け部３６の開口部３６ａの端縁に沿って摺動する。このため、鍵３が押鍵されていない状態（図１参照）から押鍵された状態（図２参照）に移行するときも、摺接部２６がシャーシ取付け部３６を左右に偏りのない均等な力で上方から押圧しながら開口部３６ａの端縁に沿って円滑に摺動する。
【００４１】
以上のように、本実施形態によれば、凸部である鍵押さえ部材２０の摺接部２６の先端が凹部であるシャーシ取付け部３６の開口部３６ａの内部に挿入されるので、外部から強い衝撃が加わった場合にも、鍵３が鍵盤シャーシ１から脱落したり浮き上がったりするのを防止することができる。
また、押鍵時（図２参照）には、摺接部２６が回動中心を中心として円弧状に形成されたシャーシ取付け部３６の開口部３６ａの端縁に沿って摺動する。このため鍵３に過剰な荷重をかけることがなく、演奏性を害さずに、鍵３を安定させることができる。
また、摺接部２６の山形（楔形）の稜線部が開口部３６ａの端縁に突き当てられることにより、開口部３６ａの左右の端縁をほぼ均等な力で押圧することができる。このため、摺接部２６の位置、寸法に多少のばらつきが生じていても、鍵の幅方向の中心に向かって安定した力で押さえることができ、横方向や斜め方向から鍵３が押下されたときでも鍵３の傾きやぐらつきを防止することができる。
さらに、鍵押さえ部材２０により鍵３の根元に適度な押圧力を加えることができるため、アコースティックピアノに近似した自然な鍵タッチ感を得ることができる。
【００４２】
［第２の実施の形態］
次に、図１０から図１３を参照しつつ、本発明に係る鍵盤装置の第２の実施形態について説明する。なお、本実施形態は、鍵押さえ部材の構成が第１の実施形態と異なるものであるため、以下においては、特に第１の実施形態と異なる点について説明する。
【００４３】
本実施形態において、鍵盤シャーシは、第１の実施形態とほぼ同様の鍵支持部１５（図１３参照）と、図１０から図１２に示す鍵押さえ部材５０を備えており、鍵支持部１５と鍵押さえ部材５０とにより鍵取付け部が構成されている。
【００４４】
図１０は、鍵押さえ部材５０の斜視図であり、図１１は、鍵押さえ部材５０の正面図（すなわち、鍵盤装置の前側から見た図）であり、図１２は、鍵押さえ部材５０の側面図である。
本実施形態の鍵押さえ部材５０は、鍵盤装置の幅方向（すなわち、横方向）に延在する長尺の部材であり、図１０から図１２に示すように、鍵盤シャーシの固定部のねじ孔（図示せず）に対応する位置にねじ孔５４が形成された平板状のシャーシ固定部５１と、このシャーシ固定部５１の長手方向の一辺からほぼ垂直に立ち上がる立上り部５２と、この立上り部５２の上端からシャーシ固定部５１とは反対側にほぼ水平に延出する庇部５３と、この庇部５３の長手方向の端部からほぼ鉛直に垂下するリブ５５とを有している。
【００４５】
このリブ５５には、鍵押さえ部材５０を固定部に固定した際に各鍵に対応する位置に、鍵のシャーシ取付け部３６の開口部３６ａからシャーシ取付け部３６の内部に挿入されて押鍵時にシャーシ取付け部３６の開口部３６ａの端縁に沿って摺動する凸部である挿入片５７が設けられている。挿入片５７は、開口部３６ａの幅寸法よりも小さく、シャーシ取付け部３６の内部の壁面に干渉しない程度の幅寸法に形成されている。
また、この挿入片５７の両側には、鍵の幅方向の中心に向かって傾斜する一対の稜線部により構成され開口部３６ａの端縁に当接し押鍵時に開口部３６ａの端縁に沿って摺動する摺接部５６が設けられている。
【００４６】
なお、その他の構成は、第１の実施形態で示したものと同様であるため、同一部材には同一の符号を付して、その説明を省略する。
【００４７】
次に、本実施形態における鍵盤装置の作用について説明する。
鍵盤装置に鍵を取り付けるときには、鍵の被取付け部であるシャーシ取付け部３６を鍵盤シャーシの鍵支持部１５の上方から嵌め込む。
次に、リブ５５が設けられている側が鍵盤装置の前側に位置するような向きで、鍵押さえ部材５０を鍵盤シャーシの固定部にねじ固定する。
このとき、図１３に示すように、鍵押さえ部材５０の挿入片５７がシャーシ取付け部３６の開口部３６ａからシャーシ取付け部３６の内部に挿入されるとともに、この挿入片５７の両側に形成されている摺接部５６の稜線部が開口部３６ａの端縁に突き当てられる。これにより、シャーシ取付け部３６は、左右に偏りのない均等な力で上方から押圧され、鍵の浮き上がりや脱落が防止されるとともに、鍵の横方向の傾き、ぐらつきが抑えられる。
【００４８】
そして、押鍵時には、開口部３６ａに挿入片５７が挿入されたままの状態で、摺接部５６が回動中心を中心として円弧状に形成されたシャーシ取付け部３６の開口部３６ａの端縁に沿って摺動する。このため、鍵が押鍵されていない状態から押鍵された状態に移行するときも、摺接部５６がシャーシ取付け部３６を左右に偏りのない均等な力で上方から押圧しながら開口部３６ａの端縁に沿って円滑に摺動する。
【００４９】
以上のように、本実施形態によれば、凸部である鍵押さえ部材５０の挿入片５７が凹部であるシャーシ取付け部３６の開口部３６ａの内部に挿入されるので、外部から強い衝撃が加わった場合にも、鍵が鍵盤シャーシ１から脱落したり浮き上がったりするのを防止することができる。
また、押鍵時には、摺接部５６が回動中心を中心として円弧状に形成されたシャーシ取付け部３６の開口部３６ａの端縁に沿って摺動する。このため鍵に過剰な荷重をかけることがなく、演奏性を害さずに、鍵３を安定させることができる。
また、摺接部５６の稜線部が開口部３６ａの端縁に突き当てられることにより、開口部３６ａの左右の端縁をほぼ均等な力で押圧することができる。このため、摺接部５６や挿入片５７の位置、寸法に多少のばらつきが生じていても、鍵の幅方向の中心に向かって安定した力で押さえることができ、横方向や斜め方向から鍵３が押下されたときでも鍵３の傾きやぐらつきを防止することができる。
さらに、鍵押さえ部材５０により鍵３の根元に適度な押圧力を加えることができるため、アコースティックピアノに近似した自然な鍵タッチ感を得ることができる。
【００５０】
［第３の実施の形態］
次に、図１４から図１８を参照しつつ、本発明に係る鍵盤装置の第３の実施形態について説明する。なお、本実施形態は、鍵のシャーシ取付け部及び鍵押さえ部材の構成が第１の実施形態及び第２の実施形態と異なるものであるため、以下においては、特に第１の実施形態及び第２の実施形態と異なる点について説明する。
【００５１】
図１４及び図１５は、本実施形態における鍵盤装置の側断面図である。図１４は、鍵が押鍵されていない状態を示しており、図１５は、鍵が押鍵された状態を示している。
本実施形態において、図１４及び図１５に示すように、鍵６は、その後端側（図１４及び図１５では左端側）が鍵盤シャーシ１の鍵支持部１５に取り付けられる被取付け部としてのシャーシ取付け部６６となっている。
【００５２】
図１６は、シャーシ取付け部６６の斜視図である。
図１６に示すように、本実施形態において、シャーシ取付け部６６は、鍵支持部１５の鍵支持凸部１６（図１８参照）に対応する位置に、鍵支持凸部１６に嵌合する孔部６７が形成されている。鍵６は、この孔部６７に鍵支持凸部１６を嵌め合わせることにより、鍵支持凸部１６を回動中心として上下方向（すなわち、押鍵方向）に回動するようになっている。
なお、シャーシ取付け部６６は、第１の実施形態及び第２の実施形態と異なり、上面に開口部を有しない構成となっているが、シャーシ取付け部６６の内部は、中空、中実のいずれでも構わない。
【００５３】
本実施形態のシャーシ取付け部６６の上面には、突出部６８がほぼ垂直に立設されている。本実施形態において、突出部６８は、被取付け部であるシャーシ取付け部６６に設けられる凸部である。
突出部６８は、鍵６の幅方向と直交する方向の厚みが薄い薄板状の部材であり、シャーシ取付け部６６と一体的に形成されている。本実施形態では、突出部６８は、シャーシ取付け部６６の幅方向の寸法と同じかそれよりも小さい幅寸法となっている。
なお、突出部６８は、鍵６の回動に伴って撓む可撓性を有するものであればよく、その形状や、大きさ、厚み等は図示例に限定されない。
【００５４】
また、鍵盤シャーシは、第１の実施形態及び第２の実施形態とほぼ同様の鍵支持部１５と、図１７（ａ）及び図１７（ｂ）に示す鍵押さえ部材７０を備えており、鍵支持部１５と鍵押さえ部材７０とにより鍵盤シャーシ１に鍵６を取り付ける鍵取付け部が構成されている。
【００５５】
図１７（ａ）は、鍵押さえ部材７０の上面図であり、図１７（ｂ）は、鍵押さえ部材７０の正面図（すなわち、鍵盤装置の前側（図１４及び図１５では右側）から見た図）である。
本実施形態において鍵押さえ部材７０は、鍵盤装置の幅方向（すなわち、横方向）に延在する長尺の部材であり、図１４、図１７（ａ）及び図１７（ｂ）に示すように、固定部１７のねじ孔（図示せず）に対応する位置にねじ孔７４が形成された平板状のシャーシ固定部７１と、このシャーシ固定部７１の長手方向の一辺からほぼ垂直に立ち上がる立上り部７２と、この立上り部７２の上端からシャーシ固定部７１とは反対側にほぼ水平に延出する庇部７３とを有している。
【００５６】
庇部７３には、各鍵６の突出部６８に対応する位置にそれぞれほぼ垂直方向に貫通する係合孔７５が形成されている。各係合孔７５は、凸部である突出部６８と嵌り合う凹部としての係合穴であり、鍵押さえ部材７０を鍵盤シャーシ１に設置したときに、各鍵６の突出部６８とほぼ隙間なく係合するように突出部６８の幅、厚みに合わせた寸法となっている。
【００５７】
図１８は、図１４におけるXVIII−XVIII線に沿う断面図である。
図１８に示すように、各鍵６のシャーシ取付け部６６の上面に立設されている突出部６８は、鍵押さえ部材７０にそれぞれ対応して設けられている係合孔７５に挿通され、ほぼ隙間なく嵌り合うようになっている。
【００５８】
なお、その他の構成は、第１の実施形態及び第２の実施形態で示したものと同様であるため、同一部材には同一の符号を付して、その説明を省略する。
【００５９】
次に、本実施形態における鍵盤装置の作用について説明する。
鍵盤装置に鍵６を取り付けるときには、鍵６の被取付け部であるシャーシ取付け部６６を鍵盤シャーシの鍵支持部１５の上方から嵌め込む。
次に、庇部７３が設けられている側が鍵盤装置の前側（図１４及び図１５において右側）に位置するような向きで、鍵押さえ部材７０を鍵盤シャーシ１の固定部１７にねじ固定する。
このとき、図１８に示すように、各鍵６の突出部６８が、鍵押さえ部材７０の係合孔７５に挿入され、互いにほぼ隙間なく嵌り合うようになっている。これにより、シャーシ取付け部６６は、鍵押さえ部材７０によって確実に上方から押圧され、鍵６の浮き上がりや脱落が防止されるとともに、鍵６の横方向の傾き、ぐらつきが抑えられる。
そして、押鍵時には、突出部６８が鍵盤装置の前後方向（図１４及び図１５において左右方向）に撓むことにより、係合孔７５に突出部６８が挿入されたままの状態でも、円滑に鍵６を上下方向（すなわち、押鍵方向）に回動させることができる。
【００６０】
以上のように、本実施形態によれば、凸部であるシャーシ取付け部６６の突出部６８が凹部である鍵押さえ部材７０の係合孔７５に挿入され、ほぼ隙間なく嵌り合うので、外部から強い衝撃が加わった場合にも、鍵６が鍵盤シャーシ１から脱落したり浮き上がったりするのを防止することができる。
また、押鍵時には、突出部６８が鍵盤装置の前後方向（図１４及び図１５において左右方向）に自在に撓むことにより、係合孔７５に突出部６８が挿入されたままの状態でも、円滑に鍵６を上下方向に回動させることができる。このため鍵６に過剰な荷重をかけることがなく、演奏性を害さずに、鍵６を安定させることができる。
また、係合孔７５に突出部６８が隙間なく嵌り合っていることにより、横方向や斜め方向から鍵６が押下されたときでも鍵６の傾きやぐらつきを防止することができる。
また、各鍵６の突出部６８が、鍵盤装置の幅方向（すなわち、横方向）に延在し複数の鍵６に対応して複数の係合孔７５が形成されている鍵押さえ部材７０の係合孔７５に挿入されているため、鍵６の横方向の捩れや傾き、ぐらつき等をより確実に抑制することができる。
特に本実施形態では、突出部６８が、鍵６の幅方向と直交する方向の厚みが薄い薄板状に形成されているため、横方向の捩れや傾き、ぐらつき等を一層確実に抑制することができる。
さらに、鍵押さえ部材７０により鍵６の根元に適度な押圧力を加えることができるため、アコースティックピアノに近似した自然な鍵タッチ感を得ることができる。
【００６１】
なお、本実施形態では、凸部である突出部６８がシャーシ取付け部６６の上面にほぼ垂直に立設されている例について説明したが、突出部６８の設けられる位置はこれに限定されない。
例えば、図１９から図２１に示すように、鍵８のシャーシ取付け部８６の後端面（図１９及び図２０において左側端面）に、ほぼ水平方向に突出する突出部８８を設けてもよい。この場合にも、突出部８８を、鍵８の幅方向と直交する方向の厚みが薄い薄板状に形成し、押鍵時に上下方向（すなわち、押鍵方向）に自在に撓むことが可能な程度に可撓性を有する構成とする。なお、この場合も、突出部８８の形状、幅寸法、厚み等は、撓むことができる程度であれば特に限定されない。
【００６２】
凸部としての突出部８８をこのようにシャーシ取付け部８６の後端面に設けた場合には、鍵８を押さえる鍵押さえ部材９０は、例えば以下のような構成とする。
図２２（ａ）は、図１９及び図２０に示す鍵押さえ部材９０の側断面図であり、図１７（ｂ）は、鍵押さえ部材９０の上面図であり、図１７（ｃ）は、鍵押さえ部材９０の正面図である。
図２２（ａ）から図２２（ｃ）に示すように、鍵押さえ部材９０は、断面がほぼＬ字型の部材であり、鍵盤シャーシ１にねじ止めするためのねじ孔９４が形成された平板状のシャーシ固定部９１と、このシャーシ固定部９１の長手方向の一辺からほぼ垂直に立ち上がる立上り部９２とを有しており、ねじ９３により鍵盤シャーシ１に固定される。
立上り部９２には、各鍵８の突出部８８に対応する位置にそれぞれほぼ水平方向に貫通する凹部としての係合孔９５が形成されている。各係合孔９５は、鍵押さえ部材９０を鍵盤シャーシ１に設置したときに、各鍵８の突出部８８とほぼ隙間なく係合するように突出部８８の幅、厚みに合わせた寸法とする。
突出部８８及び鍵押さえ部材９０をこのような構成とした場合でも、各鍵８の突出部８８が、鍵押さえ部材９０の係合孔９５に挿入されて、互いに嵌り合うため、シャーシ取付け部８６は、鍵押さえ部材９０によって確実に上方から押圧され、鍵８の横方向の傾き、ぐらつきが抑えられる。
そして、押鍵時には、図２０に示すように、突出部８８が鍵盤装置の上下方向（押鍵方向）に撓むことにより、係合孔９５に突出部８８が挿入されたままの状態でも、円滑に鍵８を上下方向に回動させることができる。
【００６３】
また、本実施形態では、凹部として、ほぼ水平方向に貫通する係合孔７５（係合孔９５）を備える場合を例として説明したが、凹部は凸部である突出部６８（突出部８８）と嵌り合うものであればよく、貫通孔に限定されない。
【００６４】
また、本実施形態では、突出部６８（突出部８８）が、鍵の幅方向と直交する方向の厚みが薄い薄板状の部材である場合を例として説明したが、突出部６８（突出部８８）の形状はこれに限定されない。例えば突出部を、可撓性を有する細い棒状の部材としてもよい。
【００６５】
なお、上記各実施形態においては、鍵押さえ部材が、鍵盤装置の幅方向（すなわち、横方向）に延在する長尺の部材である場合を例としたが、鍵盤装置の全幅に亘って設けられ全ての鍵に対応する鍵押さえ部材を１つ設けてもよいし、それよりも短い寸法の鍵押さえ部材を複数設けてもよい。例えば、各鍵に対応して１つずつ当該鍵に対応する鍵押さえ部材が設けられていてもよいし、数個の鍵ごとにこれに対応する鍵押さえ部材が設けられていてもよい。
【００６６】
また、第１の実施形態及び第２の実施形態では、リブ、摺接部、及び挿入片が、庇部の長手方向の端部からほぼ鉛直に垂下している場合を例として説明したが、リブ、摺接部、及び挿入片の構成はこれに限定されない。例えば、摺接部は、斜め後方から鍵に突き当てられるものでもよく、挿入片は、斜め後方から鍵の内部に挿入されるものでもよい。
また、摺接部、及び挿入片の形状はここに例示したものに限定されない。
【００６７】
また、上記各実施形態では、鍵押さえ部材が１つの部品で構成されている例を示しているが、鍵押さえ部材の構成はこれに限定されない。
例えば、第１の実施形態や第２の実施形態における鍵押さえ部材のうち、シャーシ固定部、立上り部、庇部を金属等の材料により１つの部品として形成し、リブ、摺接部や、挿入片を樹脂等の材料により形成して、両者を接着剤やねじ等を用いて固定することにより一体化させてもよい。また、リブと摺接部、摺接部と挿入片の構成等は、図示例に限定されず、適宜変更可能である。
【００６８】
その他、本発明が上記各実施形態に限らず適宜変更可能であるのは勿論である。
【符号の説明】
【００６９】
１      鍵盤シャーシ
３      鍵
４      ハンマー部材
１１    鍵ガイド部
１５    鍵支持部
２０    鍵押さえ部材
２６    摺接部
３６    シャーシ取付け部
３６ａ  開口部
１００  鍵盤装置
【図１】
2012013830.tif 000003
【図２】
2012013830.tif 000004
【図３】
2012013830.tif 000005
【図４】
2012013830.tif 000006
【図５】
2012013830.tif 000007
【図６】
2012013830.tif 000008
【図７】
2012013830.tif 000009
【図８】
2012013830.tif 000010
【図９】
2012013830.tif 000011
【図１０】
2012013830.tif 000012
【図１１】
2012013830.tif 000013
【図１２】
2012013830.tif 000014
【図１３】
2012013830.tif 000015
【図１４】
2012013830.tif 000016
【図１５】
2012013830.tif 000017
【図１６】
2012013830.tif 000018
【図１７】
2012013830.tif 000019
【図１８】
2012013830.tif 000020
【図１９】
2012013830.tif 000021
【図２０】
2012013830.tif 000022
【図２１】
2012013830.tif 000023
【図２２】
2012013830.tif 000024
【手続補正書】
【提出日】平成23年9月14日(2011.9.14)
【手続補正１】
【補正対象書類名】明細書
【補正対象項目名】０００８
【補正方法】変更
【補正の内容】
【０００８】
前記課題を解決するために、請求項１に記載の鍵盤装置は、
鍵盤シャーシと、
この鍵盤シャーシに対して押鍵方向に回動自在に取り付けられている複数の鍵と、
前記鍵盤シャーシにあって、前記鍵を取り付ける鍵取付け部と、
前記鍵の一端側に、前記取付け部に取り付けられる被取付け部と、を備え、
前記被取付け部又は前記鍵取付け部のいずれかに凹部を有するとともに、他方に凸部を有し、
前記凹部と前記凸部とが係合されるように構成されていることを特徴としている。
【手続補正２】
【補正対象書類名】明細書
【補正対象項目名】０００９
【補正方法】変更
【補正の内容】
【０００９】
請求項２に記載の発明は、請求項１に記載の発明において、
前記凹部は前記被取付け部に設けられ、前記凸部は前記鍵取付け部に設けられており、
前記被取付け部は、上部が前記鍵の回動中心を中心とした円弧状に形成され、この被取付け部の上部に前記凹部としての開口部を有し、
前記鍵取付け部は、前記鍵の幅方向の中心に向かって傾斜する一対の稜線部により山形に形成される前記凸部としての摺接部を有する鍵押さえ部材を備え、
前記鍵押さえ部材の頂点が前記開口部から前記被取付け部内に挿入されて押鍵時に前記開口部の端縁に沿って摺動することを特徴としている。
【手続補正３】
【補正対象書類名】明細書
【補正対象項目名】００１０
【補正方法】変更
【補正の内容】
【００１０】
請求項３に記載の発明は、請求項１に記載の発明において、
前記凹部は前記被取付け部に設けられ、前記凸部は前記鍵取付け部に設けられており、
前記被取付け部は、上部が前記鍵の回動中心を中心とした円弧状に形成され、この被取付け部の上部に前記凹部としての開口部を有し、
前記鍵取付け部は、
前記開口部から前記被取付け部内に挿入される前記凸部としての挿入片と、
この挿入片の両側に設けられ前記鍵の幅方向の中心に向かって傾斜する一対の稜線部により構成されて、前記開口部の端縁に当接し、押鍵時に前記開口部の端縁に沿って摺動する摺接部と、を有する鍵押さえ部材を備えていることを特徴としている。
【手続補正４】
【補正対象書類名】明細書
【補正対象項目名】００１１
【補正方法】変更
【補正の内容】
【００１１】
請求項４に記載の発明は、請求項１に記載の発明において、
前記凸部は前記被取付け部に設けられ、前記凹部は前記鍵取付け部に設けられており、
前記被取付け部は、前記凸部として、前記鍵の回動に応じて撓む可撓性を有する突出部を備え、
前記鍵取付け部は、前記突出部と嵌り合う前記凹部としての係合穴を有する鍵押さえ部材を備えていることを特徴としている。
【手続補正５】
【補正対象書類名】明細書
【補正対象項目名】００１２
【補正方法】変更
【補正の内容】
【００１２】
請求項５に記載の発明は、請求項４に記載の発明において、
前記突出部は、前記鍵の幅方向と直交する方向に突出し、厚みが薄い薄板状に形成されていることを特徴としている。
【手続補正６】
【補正対象書類名】特許請求の範囲
【補正対象項目名】全文
【補正方法】変更
【補正の内容】
【特許請求の範囲】
【請求項１】
鍵盤シャーシと、
この鍵盤シャーシに対して押鍵方向に回動自在に取り付けられている複数の鍵と、
前記鍵盤シャーシにあって、前記鍵を取り付ける鍵取付け部と、
前記鍵の一端側に、前記取付け部に取り付けられる被取付け部と、を備え、
前記被取付け部又は前記鍵取付け部のいずれかに凹部を有するとともに、他方に凸部を有し、
前記凹部と前記凸部とが係合されるように構成されていることを特徴とする鍵盤装置。
【請求項２】
前記凹部は前記被取付け部に設けられ、前記凸部は前記鍵取付け部に設けられており、
前記被取付け部は、上部が前記鍵の回動中心を中心とした円弧状に形成され、この被取付け部の上部に前記凹部としての開口部を有し、
前記鍵取付け部は、前記鍵の幅方向の中心に向かって傾斜する一対の稜線部により山形に形成される前記凸部としての摺接部を有する鍵押さえ部材を備え、
前記鍵押さえ部材の頂点が前記開口部から前記被取付け部内に挿入されて押鍵時に前記開口部の端縁に沿って摺動することを特徴とする請求項１に記載の鍵盤装置。
【請求項３】
前記凹部は前記被取付け部に設けられ、前記凸部は前記鍵取付け部に設けられており、
前記被取付け部は、上部が前記鍵の回動中心を中心とした円弧状に形成され、この被取付け部の上部に前記凹部としての開口部を有し、
前記鍵取付け部は、
前記開口部から前記被取付け部内に挿入される前記凸部としての挿入片と、
この挿入片の両側に設けられ前記鍵の幅方向の中心に向かって傾斜する一対の稜線部により構成されて、前記開口部の端縁に当接し、押鍵時に前記開口部の端縁に沿って摺動する摺接部と、
を有する鍵押さえ部材を備えていることを特徴とする請求項１に記載の鍵盤装置。
【請求項４】
前記凸部は前記被取付け部に設けられ、前記凹部は前記鍵取付け部に設けられており、
前記被取付け部は、前記凸部として、前記鍵の回動に応じて撓む可撓性を有する突出部を備え、
前記鍵取付け部は、前記突出部と嵌り合う前記凹部としての係合穴を有する鍵押さえ部材を備えている請求項１に記載の鍵盤装置。
【請求項５】
前記突出部は、前記鍵の幅方向と直交する方向に突出し、厚みが薄い薄板状に形成されている請求項４に記載の鍵盤装置。